(57)【特許請求の範囲】
【請求項１】
嫌気処理槽、好気処理槽、消毒槽を順次配設する浄化槽に装備され、上流側から下流側への排水の移流量を調整する流量調整装置であって、隣接する処理槽から排水を移流させる流入口と、排水を下流側に流出する流出口を有する流量調整マスと、該流量調整マスの流出口に向って気体を供給する気体供給手段とを備え、流量調整マスは流出口を設置槽の水面レベルより下部に設置されると共に、気体供給手段から供給される気体は流量調整マスの流出口を気泡の状態で通過するよう構成され、
流量調整マスは流出口周縁に、流量調整マスの下面に流出口を囲んで、下方に突出し、気体供給手段の吐出口の真上に設置されるガイド部材を配設し、気体供給手段から供給される気体は前記ガイド部材により流出口に案内されるよう構成してなる浄化槽の流量調整装置。
【請求項２】
隣接する処理槽からの排水はエアリフトポンプによって流量調整マスに移流される請求項１に記載の浄化槽の流量調整装置。
【請求項３】
流量調整装置が好気処理槽に配設されると共に、気体供給手段は好気処理槽に配設される散気部材である請求項１又は２に記載の浄化槽の流量調整装置。
【発明の詳細な説明】
【０００１】
【発明の属する技術分野】
本発明は、屎尿、生活雑排水、その他の排水などを処理する浄化槽の流量調整装置に関する。
【０００２】
【従来の技術】
浄化槽内に例えば浴槽排水などによる数分間に２００Ｌ〜３００Ｌの大量の排水の流入があった場合に、浄化槽の上流側から下流側への排水の移流が速く各槽毎の処理に必要とされる滞留時間が短くなり、処理が不安定になる不都合が生じた。
【０００３】
そこで、一度に大量の移流を避けるため、浄化槽内に流量調整装置を設けて、移流水量を制限する方法が採られている。例えば、流量調整装置としてポンプ（電動ポンプ又はエアリフトポンプ）により定量移送させる方法（特開平４−３６７７９３号公報参照）、あるいは、移流部にオリフィスを設ける方法（特開平１１−１０１７９号公報参照）等が提案されている。
【０００４】
【発明が解決しようとする課題】
しかし、流量調整装置を長期間稼働させていると、例えば、流量調整装置の流出口に生物膜等の汚れが付着し、移流量が減少して所望する性能が得られないことがあった。
【０００５】
そこで本発明は、浄化槽内に配設する流量調整装置の移流量を長期に渡って安定させることを目的とする。
【０００６】
【課題を解決するための手段】
上記目的を達成するため、本発明の流量調整装置は下記の構成を具備する。（１）浄化槽内を複数の処理槽に区画し、上流側の処理槽から下流側の処理槽に排水を移流させる流量を調整する流量調整装置であって、流量調整装置は隣接する処理槽から排水を移流させる流入口と、排水を下流側に流出する流出口を有する流量調整マスと、流量調整マスの流出口に向って気体を供給する気体供給手段とを備えている。そして、流量調整マスは流出口を設置槽の水面レベルより下部に設置されると共に、気体供給手段から供給される気体は流量調整マスの流出口を気泡の状態で通過させ、流出口を洗浄させる構成を有し、流量調整マスは流出口周縁に、流量調整マスの下面に流出口を囲んで、下方に突出し、気体供給手段の吐出口の真上に設置されるガイド部材を配設し、気体供給手段から供給される気体は前記ガイド部材により流出口に案内されるよう構成してなる。
【０００７】
（２）本発明において隣接槽からの排水はポンプによって汲み上げられ、流量調整マス内に流入する構成を有する。
【０００８】
（作用）上記のように構成された浄化槽の流量調整装置は、流量調整装置の流出口に移流水以外の、例えば空気などの気体を通過させるため、汚れが付きにくい。又、流出口を水面下に設置するため、汚れが乾燥せず落ちやすい。さらに、移流する排水をポンプにより実行させることにより、処理槽の水位を下げることができ、流量調整マスの容積を増大させることができる。
【０００９】
【発明の実施の形態】
本発明の実施の形態を図面により説明する。図１は本発明に係る浄化槽の構成説明図である。
浄化槽１は、槽内に第１の嫌気処理室１２、第２の嫌気処理室１３、好気処理槽１４、処理水槽１５及び消毒槽１６が形成されている。第１の嫌気処理室１２、第２の嫌気処理室１３には嫌気濾材１２２，１３３が各々配設され、各室で排水は嫌気処理がなされる。好気処理槽１４には、散気部材１４５が設けられている。散気部材１４５は、流入した排水を好気処理するために使用されるものであり、常時空気泡の吐出を行っている。
そして、屎尿、生活雑排水などは第１の嫌気処理室１２に配設される流入口３から流入し、第１の嫌気処理室１２の濾材１２２中を流下し、沈殿分離処理される。そして移流管１２５を経て連通口１２３から第２の嫌気処理室１３に移流、濾材１３３中を流下し沈殿分離処理され、移流管１３５から流量調整装置２０を経て好気処理槽１４に流入する。好気処理槽１４において、好気処理され処理水槽１５及び消毒槽１６の順に処理され、流出口５から排出される。
【００１０】
図２を参照して流量調整装置２０の構成を説明する。
この実施例では、流量調整装置２０は好気処理槽１４の流入口１３４に配設されている。
流量調整装置２０は移流排水を貯留する流量調整マス２１と気体を流量調整マス２１の下部に向って供給する気体供給手段を装備している。流量調整マス２１は第２の嫌気処理室１３上部の流入口１３４に開口する流入口２３、好気処理槽１４に開口する流出口２５を有している。気体供給手段は図示していない空気供給部から供給される空気を案内し流量調整マス２１の下部に向って散気する散気部２７からなる。
【００１１】
流量調整装置２０の流量調整マス２１は、第１の嫌気処理室１２及び第２の嫌気処理室１３の上部に設定される最高水位Ｈ.Ｗ．Ｌ．と最低水位Ｌ．Ｗ．Ｌ．の間に形成される流量調整部７に対応して好気処理槽１４の上部に配設される。好気処理槽１４の水位が最低水位Ｌ．Ｗ．Ｌ．とすると、流量調整装置２０の流出口２５は好気処理槽１４の水面レベルに設置されるように流量調整マス２１が配設される。流量調整装置２０の流出口２５は穿孔される複数の小穴形状をなしている。流量調整装置２０において、流量調整マス２１の流出口２５の穴の大きさによって移流量が規制されている。例えば、処理水量Ｑが1日あたり１立方メートルの浄化槽においては、移流量を２〜３Ｑに制限することが好ましく、このときの流出口２５の穴径はφ１０程度としている。
第２の嫌気処理室１３からの移流水は流入口２３より流量調整マス２１内に流入する。そして、小穴形状の流出口２５によって移流量を制限されながら、好気処理槽１４に移流する。
【００１２】
流量調整装置２０の散気部２７は流量調整マス２１の下部に開口する空気吐出口２７０を有する空気吐出管を備えている。散気部２７は図示しない気体供給部より常時または間欠的に空気（気体）を吐出口２７０から吐出する構成となっている。吐出されるこの空気泡は好気処理槽１４中を上昇し、流量調整マス２１の流出口２５を通って流量調整マス２１内に入る。そして、散気部２７の空気泡が流出口２５を通過する際、小穴形状の流出口２５に付着する汚れを洗浄する。
【００１３】
このとき、流量調整マス２１の流出口２５は好気処理槽１４の水面、あるいは水面下に位置しているので、常時流出口２５は湿潤しており、流出口２５に付着した汚れ物は空気泡の通過により容易に剥離される。
なお、流量調整マス２１の流出口２５は水面に水平に配設する必要はなく、空気が流出口２５を通過できる構成であればよい。
【００１４】
又、この実施例では散気部２７が吐出する気体は空気としているが、気体は空気に限定することはなく、例えばオゾン等でもよい。
次に、流量調整装置の流出口の洗浄効率の向上を図った構成例を図３に示す。この流量調整装置は流量調整マス２１の下面に流出口２５を囲んでガイド部材３０を配設している。このガイド部材３０は散気部２７の吐出口２７０から吐出される空気泡を流出口２５に案内するように設置される。すなわち、ガイド部材３０に囲まれている部分の真下に散気部２７の吐出口２７０を配置することにより、散気部２７から吐出される空気は流出口２５方向に誘導され、流出口２５以外に逃げることなく、流出口２５は吐出泡により効率よく洗浄される。
【００１５】
この実施例は、流量調整装置２０を好気処理槽１４の水面に設けた例を示している。この場合、好気処理槽１４に配設される散気部材１４５を気体供給手段として利用することもできる。これは好気処理槽１４に配設される散気部材１４５より吐出する空気を、流量調整装置２０の流出口２５方向に導き、流出口２５の洗浄用空気とする。この構成により、流量調整装置の散気部を省略することができ、装置の簡素化が達成できる。
【００１６】
次に流量調整装置にポンプを配設した構成例を、図４に示す。
この実施例は、第２の嫌気処理部１３の移流管１３５にポンプ４０を配設している。そして、流量調整装置２０へは隣接する第２の嫌気処理槽１３の排水をポンプ４０によりポンプアップして移流させている。この場合、ポンプ４０として動力が空気であるエアリフトポンプを用いることにより、特別線など必要とせず、さらに構成の簡素化を達成する。
【００１７】
【発明の効果】
本発明の効果を以下に列記する。
（１）流量調整装置の下流側への流出口に移流水以外の気体、例えば空気などを通過させるため、空気通過時の汚染剥離を実行し、汚れが付きにくい。又、このとき、流出口を水面または水面下に設置するため、汚れが乾燥せず落ちやすい。
（２）流量調整装置の流出口は常時空気泡により洗浄されているので、汚染による目詰まりが解消され、長期間に渡って安定した移流量の調整を実行する。
（３）流量調整装置の下面に気体泡の案内部材を配設することにより、吐出される気体泡は確実に流量調整マスの流出口に誘導され、効率よく汚染剥離を実行する。
（４）隣接処理槽からの排水の移流をポンプにより強制的に実行させることにより、流量調整装置の配設槽の水位を低く設定でき、水位に合わせて流量調整マスの容量を増加すことができる。
（５）好気処理槽の散気部材から吐出される空気を、流量調整装置の流出口の洗浄用空気に利用することにより、流量調整装置の散気部を省略することができ、装置が簡素化できる。
【図面の簡単な説明】
【図１】本発明に係る流量調整装置を配設した浄化槽の説明図。
【図２】本発明に係る流量調整装置の拡大図。
【図３】本発明に係る流量調整装置の他の実施例の拡大図。
【図４】本発明に係る流量調整装置において、ポンプを配設した浄化槽の断面説明図。
【符号の説明】
１  浄化槽                            １２  第１の嫌気処理槽
１３  第２の嫌気処理槽                １４  好気処理槽
１５  処理水槽                        １６  消毒槽
２０  流量調整装置                    ２１  流量調整マス
２３  流入口                          ２５  流入口
３０  ガイド部材                      ４０  エアリフトポンプ
１４５  散気部材
【図１】
0004275286.tif 000002
【図２】
0004275286.tif 000003
【図３】
0004275286.tif 000004
【図４】
0004275286.tif 000005